(57)【要約】【課題】従来例においては、測定の開始及び終了などの制御を行なう場合、患者モニタ装置を操作すると装着状態が変化して測定値に信頼がなくなるため、継続的な測定の意義が失われる。また、測定後の結果を見るために、患者モニタ装置を取り外すと、次の測定の際に装着しても装着状態の再現性が困難である。【解決手段】上記課題を解決するために、本発明の血圧測定装置では、被検体の外耳で血圧を測定する血圧測定センサと、前記血圧測定センサの制御や血圧値の表示機能を含む血圧測定制御装置とを分離して構成している。【選択図】図１
2006102180.tif 000002
【特許請求の範囲】
【請求項１】
被検体の外耳の動脈を圧迫して血圧を測定する血圧測定センサと、
前記血圧測定センサに測定開始を指示する制御部及び前記血圧測定センサの測定した血圧値を表示する表示部を有する血圧測定制御装置と、を備える血圧計。
【請求項２】
前記血圧測定センサと前記血圧測定制御装置とは、電波による通信方式で接続されていることを特徴とする請求項１に記載の血圧計。
【請求項３】
前記血圧測定センサと前記血圧測定制御装置とは、光無線による通信方式で接続されていることを特徴とする請求項１に記載の血圧計。
【請求項４】
前記血圧測定制御装置及び前記血圧測定センサは、被検体と電気的に接続され、
前記血圧測定センサと前記血圧測定制御装置とは、前記被検体を通信媒体とする通信方式で接続されていることを特徴とする請求項１に記載の血圧計。
【請求項５】
前記血圧測定制御装置は、複数の前記血圧測定センサに測定開始を指示する制御部及び前記複数の血圧測定センサの測定した血圧値を表示する表示部を有することを特徴とする請求項１から３に記載のいずれかの血圧計。
【発明の詳細な説明】
【技術分野】
【０００１】
本願発明は、被検体の一部、特に、外耳で血圧を測定する血圧計に関する。
【背景技術】
【０００２】
高齢化の進展にともなって、成人の高血圧などの生活習慣病への対応が社会的に大きな課題となっている。特に高血圧に関連する疾患の場合、長期間の血圧データの継続的な収集が非常に重要であると認識されている。
【０００３】
従来、外耳部で生体情報を計測する装置については、外耳道に挿入され、常時装着する患者モニタ装置がある（例えば、特許文献１参照。）。これは、脈拍、脈波、心電、体温、動脈血酸素飽和度、及び血圧などを生体内へ放射した赤外光、可視光の散乱光の受光量から計算できるとしている。
【０００４】
また、外耳道に装着する装置としては、無線通信手段を有し、動脈血酸素飽和濃度センサ、体温センサ、心電センサ、脈波センサを備えている緊急情報装置がある（例えば、特許文献２参照。）。
【０００５】
一方、血圧の測定に関しては、血管の脈動波形による血圧測装置は、他の方式であるカフ振動法や容積補償法などによる血圧測定装置（例えば、非特許文献１参照。）と並んで、有力な血圧の測定方法として認められている。なお、本明細書において、外耳の名称は非特許文献２、３による。
【特許文献１】特開平９−１２２０８３号公報
【特許文献２】特開平１１−１２８１７４号公報
【非特許文献１】山越  憲一、戸川  達男著、「生体センサと計測装置」、日本エム・イー学会編／ＭＥ教科書シリーズ  Ａ−１、３９頁〜５２頁
【非特許文献２】Ｓｏｂｏｔｔａ  図説人体解剖学第１巻（監訳者：岡本道雄）、ｐ．１２６、（株）医学書院、１９９６年１０月１日発行
【非特許文献３】からだの地図帳（Ｔｈｅ  Ａｔｌａｓ  ｏｆ  Ｈｕｍａｎ  Ｂｏｄｙ）、ｐ．２０、（株）講談社、２００４年１月２９日第３５刷発行
【発明の開示】
【発明が解決しようとする課題】
【０００６】
上記の従来例、特開平９−１２２０８３においては外耳道などに挿入され、常時装着する患者モニタ装置で脈拍、脈波、心電、血圧などの生体情報を測定し、受信装置へ送信する装置が述べられているが、上記の従来例においては、測定の開始及び終了などの制御を行なう場合、患者モニタ装置を操作すると装着状態が変化して測定値に信頼がなくなるため、継続的な測定の意義が失われる。
【０００７】
患者モニタ装置のみに結果表示部が具備されていると、結果表示の目視確認のために、外耳に装着していた装置を取り外さなければならない。また、患者モニタ装置を取り外すと、次の測定の際に装着しても装着状態の再現性に難がある。さらに、測定実行中の動作確認や測定実行中の測定値の確認が困難である。
【０００８】
患者モニタ装置のみに操作ボタンが具備されていると、外耳に装着していた装置を取り外さなければならない。また、患者モニタ装置を取り外すと、次の測定の際に装着しても装着状態の再現性に難がある。さらに、ボタン操作のために測定開始時や測定中に装置を装着したままでボタン操作をすることが困難である。
【課題を解決するための手段】
【０００９】
上記課題を解決するために、本発明の血圧測定装置では、被検体の外耳で血圧を測定する血圧測定センサと、前記血圧測定センサの制御や血圧値の表示機能を含む血圧測定制御装置とを分離して構成している。上記の構成とすると、前記血圧測定制御装置から前記血圧測定センサを遠隔操作し、前記血圧測定センサを直接操作する必要を無くし、継続的な血圧測定を可能にしている。さらに、前記血圧測定制御装置は複数の血圧測定センサを制御することも可能であり、同一被検体の複数の部分における血圧、あるいは複数の被検者の血圧を効率よく測定できる。
【００１０】
具体的には、本願発明は、被検体の外耳の動脈を圧迫して血圧を測定する血圧測定センサと、前記血圧測定センサに測定開始を指示する制御部及び前記血圧測定センサの測定した血圧値を表示する表示部を有する血圧測定制御装置と、を備える血圧計である。
【００１１】
上記のように、本発明の血圧計は、被検体の外耳により血圧を測定する血圧測定センサと、前記血圧測定センサに測定開始を指示する制御部及び前記血圧測定センサの測定した血圧値を表示する表示部を有する血圧測定制御装置とを分離して構成することにより、血圧測定制御装置から前記血圧測定センサを遠隔操作して、前記血圧測定センサを直接操作する必要をなくし、また、遠隔で測定結果を見て、前記血圧測定センサに直接触れる必要をなくしている。この結果、前記血圧測定センサの装着状態が変化することなく継続的な血圧測定を可能にしている。
【００１２】
本発明では、前記血圧測定センサと前記血圧測定制御装置とは、電波による通信方式で接続されている構成としてもよい。
【００１３】
上記のように、本発明の血圧計は、被検体の外耳により血圧を測定する前記血圧測定センサと、前記血圧測定制御装置とを、電波による通信方式で接続されている構成とすることにより、血圧測定制御装置から前記血圧測定センサを遠隔操作して、前記血圧測定センサを直接操作する必要をなくし、また、遠隔で測定結果を見て、前記血圧測定センサに直接触れる必要をなくしている。この結果、前記血圧測定センサの装着状態が変化することなく、さらに被検体の姿勢及び動作を制限することなく、継続的な血圧測定を可能にしている。
【００１４】
本発明では、前記血圧測定センサと前記血圧測定制御装置とは、光無線による通信方式で接続されている構成としてもよい。
【００１５】
上記のように、本発明の血圧計は、被検体の外耳により血圧を測定する前記血圧測定センサと、前記血圧測定制御装置とを、光無線による通信方式で接続されている構成とすることにより、血圧測定制御装置から前記血圧測定センサを遠隔操作して、前記血圧測定センサを直接操作する必要をなくし、また、遠隔で測定結果を見て、前記血圧測定センサに直接触れる必要をなくしている。この結果、前記血圧測定センサの装着状態が変化することなく、さらに被検体の姿勢及び動作を制限することなく、継続的な血圧測定を可能にしている。
【００１６】
本発明では、前記血圧測定制御装置及び前記血圧測定センサは、被検体と電気的に接続され、前記血圧測定センサと前記血圧測定制御装置とは、前記被検体を通信媒体とする通信方式で接続されている構成としてもよい。
【００１７】
上記のように、本発明の血圧計は、被検体の外耳により血圧を測定する前記血圧測定センサ、前記血圧測定制御装置の各々を被検体と電気的に接続して、前記血圧測定センサと前記血圧測定制御装置が、前記被検体を通信媒体とする通信方式で接続されている構成とすることにより、血圧測定制御装置から前記血圧測定センサを遠隔操作して、前記血圧測定センサを直接操作する必要をなくし、また、遠隔で測定結果を見て前記血圧測定センサに直接触れる必要をなくしている。この結果、前記血圧測定センサの装着状態が変化することなく、さらに被検体の姿勢及び動作を制限することなく、継続的な血圧測定を可能にしている。
【００１８】
本発明では、前記血圧測定制御装置は、複数の前記血圧測定センサに測定開始を指示する制御部及び前記複数の血圧測定センサの測定した血圧値を表示する表示部を有する構成としてもよい。
【００１９】
上記のように、本発明の血圧計は、前記血圧測定制御装置を、複数の前記血圧測定センサに測定開始を指示する制御部及び前記複数の血圧測定センサの測定した血圧値を表示する表示部を有する構成とすることにより、同一被検体の複数の部分における血圧、あるいは複数の被検者の血圧を、効率よく測定できる。
【発明の効果】
【００２０】
本願発明によれば、血圧測定センサを被検体の外耳に装着し、腕などに装着した血圧測定制御装置から、電波による通信方式などにより前記血圧測定センサを遠隔操作することにより、前記血圧測定センサを直接操作する必要をなくし、また、遠隔で測定結果を見ることにより、前記血圧測定センサに直接触れる必要をなくしている。この結果、前記血圧測定センサの装着状態が変化することなく継続的な血圧測定を可能にしている。
【００２１】
また、前記血圧測定制御装置に制御部と表示部を備えることにより、前記血圧測定センサを取り外すことなく前記血圧測定センサを操作したり測定値を確認したりすることができる。
【００２２】
さらに、前記血圧測定制御装置により複数の血圧測定センサを操作する構成とすることにより、同一被検体の複数の部分における血圧、あるいは複数の被検者の血圧を効率よく測定する血圧計を提供できる。
【発明を実施するための最良の形態】
【００２３】
添付の図面を参照して本発明の実施の形態を説明する。
以下に説明する実施の形態は本発明の構成の例であり、本発明は、以下の実施の形態に制限されるものではない。
【００２４】
本実施の形態の血圧計は、被検体の外耳の動脈を圧迫して血圧を測定する血圧測定センサと、前記血圧測定センサに測定開始を指示する制御部及び前記血圧測定センサの測定した血圧値を表示する表示部を有する血圧測定制御装置と、を備える血圧計である。
【００２５】
図１に本実施の形態の血圧計の構成例を示す。図１において、本実施の形態の血圧計１は血圧測定センサ１０及び血圧測定制御装置３０により構成される。
【００２６】
血圧測定センサ１０は脈波センサ１１、カフ１２、制御回路１３、送受信回路１４、電池１８、筐体１９、加圧ポンプ２１、排気弁２２、圧力センサ２３により構成される。ここで、脈波センサ１１はカフ１２の中に設けられている。
【００２７】
図２に血圧測定センサ１０の被検体の外耳への装着例を示す。図２において、血圧測定センサ１０は図１には図示していない保持機構２５で保持され、保持機構２５は耳輪８の周辺に固定され、血圧測定センサ１０はカフ１２を設けている部分が被検体の耳珠７を挟むようにして装着され、カフ１２は耳珠７の表面に接している。
【００２８】
血圧測定センサ１０の制御回路１３は信号線で脈波センサ１１、送受信回路１４、加圧ポンプ２１、排気弁２２、圧力センサ２３と接続され、またカフ１２は空気パイプで加圧ポンプ２１、排気弁２２、圧力センサ２３と接続されている。
【００２９】
電池１８は脈波センサ１１、制御回路１３、送受信回路１４、加圧ポンプ２１、排気弁２２、圧力センサ２３と電力線で接続されているが、図１においては図面の煩雑さを避けるために図示していない。
【００３０】
血圧測定制御装置３０は制御回路３３、送受信回路３４、表示部３５、電池３８、筐体３９を有し、制御回路３３は信号線で、送受信回路３４、表示部３５と接続されている。
【００３１】
電池３８は制御回路３３、送受信回路３４、表示部３５と電力線で接続されているが、図１においては図面の煩雑さを避けるために図示していない。
【００３２】
カフ１２は被検体の外耳の動脈を圧迫する機能を有し、脈波センサ１１はカフ１２が圧迫する外耳の動脈の脈波を検出する機能を有する。脈波センサ１１が外耳の動脈の脈波を検出する方法としては、動脈へ光を照射し動脈からの散乱光の量の変化から検出する方法、あるいはマイクロフォンで動脈の鼓動を検出する方法、圧力センサで圧脈派を検出する方法など各種の方法が知られている。
【００３３】
制御回路１３は送受信回路１４を介して受信する血圧測定制御装置３０からの指示に従って、加圧ポンプ２１、排気弁２２を制御し、さらに脈波センサ１１が検出する脈波と、圧力センサ２３が測定するカフ１２の内部の空気の圧力から、被検体の血圧を測定し、測定した血圧値の情報を送受信回路１４を介して血圧測定制御装置３０へ送信する機能を有する。
【００３４】
血圧測定センサ１０の送受信回路１４は血圧測定制御装置３０の送受信回路３４との間で有線による通信方式、電波による通信方式、光無線による通信方式、あるいは被検体を通信媒体とする通信方式などにより情報を送受信する機能を有する。
【００３５】
電池１８は脈波センサ１１、制御回路１３、送受信回路１４、加圧ポンプ２１、排気弁２２、圧力センサ２３に電力を供給する機能を有する。
【００３６】
加圧ポンプ２１は制御回路１３の指示に従ってカフ１２へ空気を供給する機能を有し、排気弁２２は制御回路１３の指示に従ってカフ１２の空気を排気する機能を有し、圧力センサ２３はカフ１２の中の空気の圧力を測定し、測定した空気の圧力の情報を制御回路１３へ送信する機能を有する。
【００３７】
筐体１９は脈波センサ１１、カフ１２、制御回路１３、送受信回路１４、電池１８、加圧ポンプ２１、排気弁２２、圧力センサ２３を保持し、保護する機能を有する。
【００３８】
血圧測定制御装置３０の送受信回路３４は血圧測定センサ１０の送受信回路１４との間で有線による通信方式、電波による通信方式、光無線による通信方式、あるいは被検体を通信媒体とする通信方式、などにより情報を送受信する機能を有する。
【００３９】
制御回路３３は送受信回路３４を介して血圧測定センサ１０を制御する情報を血圧測定センサ１０の送受信回路１４へ送信し、さらに血圧測定センサ１０の送受信回路１４が送信する情報を送受信回路３４を介して受信し、受信した情報を表示部３５へ送信して表示させる機能を有する。ここで、制御回路３３は予め記憶している手順に従って自立的に血圧測定センサ１０を制御してもよく、あるいは外部からの操作に従って血圧測定センサ１０を制御してもよい。
【００４０】
表示部３５は制御回路３４から受信した血圧値の情報を表示する機能を有する。
【００４１】
電池３８は制御回路３３、送受信回路３４、表示回路３５へ電力を供給する機能を有する。
【００４２】
筐体３９は制御回路３３、送受信回路３４、表示部３５、電池３８を保持して、保護する機能を有する
【００４３】
次に、本実施の形態の血圧計１の動作を説明する。血圧測定センサ１０を外耳に装着し、カフ１２が外耳に接触した状態で、血圧測定制御装置３０の制御回路３３は予め設定された手順に従って、あるいは外部からの操作に従って、送受信回路３４及び、血圧測定センサ１０の送受信回路１４を介して血圧測定センサ１０の制御回路１３に対して血圧測定の開始を指示する。
【００４４】
血圧測定センサ１０の制御回路１３は、血圧測定制御装置３０の制御回路３３から血圧測定開始の指示を受信して、加圧ポンプ２１を制御して空気をカフ１２へ供給し、カフ１２は接触する外耳を上昇する圧力で圧迫する。
【００４５】
上記のカフ１２が外耳を圧迫する過程で、制御回路１３は脈波センサ１１が検出する外耳の脈波により、動脈の血流が停止したことを確認した後に、加圧ポンプ２１の空気の供給を停止させ、排気弁２２を制御してカフ１２内の空気を排気し、カフ１２が外耳を圧迫する圧力を徐々に減少させる。
【００４６】
上記のカフ１２が外耳を圧迫する圧力を上昇させる過程、あるいは外耳を圧迫する圧力を減少させる過程において、制御回路１３は所定の方法により、脈波センサ１１が検出する外耳の動脈の脈波と、圧力センサ２３が測定するカフ１２が外耳を圧迫する圧力から血圧を測定し、測定した血圧の情報を送受信回路１４を介して、血圧測定制御装置３０の送受信回路３４へ送信する。
【００４７】
血圧測定制御装置３０の送受信回路３４は血圧測定センサ１０の送受信回路１４から受信した血圧の情報を制御回路３３へ送信し、制御回路３３は受信した血圧の情報を表示部３５へ送信し、表示部３５は制御回路３３から受信した血圧の情報に従って、血圧値を表示する。
【００４８】
上記の血圧測定の過程において、血圧測定センサ１０の送受信回路１４と血圧測定制御装置３０の送受信回路３４は、相互に、有線による通信方式、電波による通信方式、光無線による通信方式、あるいは被検体を通信媒体とする通信方式などにより情報を送受信する。
【００４９】
上記のように、本実施の形態の血圧計１は、血圧測定センサ１０と血圧測定制御装置３０を分離して構成し、血圧測定センサ１０を外耳に装着し、血圧測定制御装置３０は例えば腕に装着し、血圧測定制御装置３０から血圧測定センサ１０を、通信方式により遠隔操作して血圧を測定し、遠隔で測定結果を見て、血圧測定センサ１０に直接触れる必要をなくしている。この結果、測定開始時に開始制御したり測定中に停止制御や再実行制御したりする際に血圧測定センサ１０を直接操作しないので、血圧測定センサ１０の装着状態が変わることなく、継続的に血圧を測定することができる。また、血圧測定制御装置３０に制御回路３３及び表示部３５を具備するため、血圧測定センサ１０を取り外すことなく血圧測定センサ１０を操作したり結果を目視したりすることができる。
【００５０】
本実施の形態の血圧計は、図１により説明した実施の形態の血圧計と同様の構成であるので、図１に示す実施の形態の血圧計を本実施の形態の血圧計として説明する。
【００５１】
図１に示す本実施の形態の血圧計１において、血圧測定センサ１０の送受信回路１４と血圧測定制御装置３０の送受信回路３４の間は電波による通信方式で接続されており、送受信回路１４と送受信回路３４以外の機能及び動作は図１に示す実施の形態の血圧計を本実施の形態の血圧計と同様であるので、以下においては送受信回路１４と送受信回路３４の機能及び動作について説明する。
【００５２】
送受信回路１４、送受信回路３４は各々、アンテナ、無線送受信回路により構成され、送受信回路１４、送受信回路３４は互いに電波による通信方式により情報を送受信する機能を有する。
【００５３】
次に、本実施の形態の血圧計１の動作を説明する。本実施の形態の血圧計１は、図１により説明した実施の形態の血圧計１が血圧を測定する動作と同様の動作により血圧を測定する過程の送受信回路１４と送受信回路３４の間において情報の送受信を行なう段階において、送受信回路１４及び送受信回路３４は電波による通信方式により情報を送受信する。
【００５４】
上記のように、本実施の形態の血圧計１は、血圧測定センサ１０と血圧測定制御装置３０を分離して構成し、血圧測定センサ１０を外耳に装着し、血圧測定制御装置３０は例えば腕に装着し、血圧測定制御装置３０から血圧測定センサ１０を、電波による通信方式により遠隔操作して血圧を測定し、遠隔で測定結果を見て、血圧測定センサ１０を直接操作しないので、血圧測定センサ１０の装着状態の変わることなく、さらに被検体の姿勢及び動作を制限することなく、継続的に血圧を測定することができる。
【００５５】
本実施の形態の血圧計は、前記血圧測定センサと前記血圧測定制御装置とは、光無線による通信方式で接続されている構成としてもよい。
【００５６】
本実施の形態の血圧計は、図１により説明した実施の形態の血圧計と同様の構成であるので、図１に示す実施の形態の血圧計を本実施の形態の血圧計として説明する。
【００５７】
図１に示す本実施の形態の血圧計１において、血圧測定センサ１０の送受信回路１４と血圧測定制御装置３０の送受信回路３４の間は光無線による通信方式で接続されており、送受信回路１４と送受信回路３４以外の機能及び動作は図１に示す実施の形態の血圧計を本実施の形態の血圧計と同様であるので、以下においては送受信回路１４と送受信回路３４の機能及び動作について説明する。
【００５８】
送受信回路１４、送受信回路３４は各々、発光素子、受光素子、光送受信回路により構成され、送受信回路１４、送受信回路３４は互いに光無線による通信方式により情報を送受信する機能を有する。
【００５９】
次に、本実施の形態の血圧計１の動作を説明する。本実施の形態の血圧計１は、図１により説明した実施の形態の血圧計１が血圧を測定する動作と同様の動作により血圧を測定する過程の送受信回路１４と送受信回路３４の間において情報の送受信を行なう段階において、送受信回路１４及び送受信回路３４は光無線による通信方式により情報を送受信する。
【００６０】
上記のように、本実施の形態の血圧計１は、血圧測定センサ１０と血圧測定制御装置３０を分離して構成し、血圧測定センサ１０を外耳に装着し、血圧測定制御装置３０は例えば腕に装着し、血圧測定制御装置３０から血圧測定センサ１０を、光無線による通信方式により遠隔操作して血圧を測定し、遠隔で測定結果を見て、血圧測定センサ１０に直接触れる必要をなくしている。この結果、血圧測定センサ１０を直接操作しないので、血圧測定センサ１０の装着状態が変わることなく、さらに被検体の姿勢及び動作を制限することなく、継続的に血圧を測定することができる。
【００６１】
本実施の形態の血圧計は、前記血圧測定制御装置が被検体と電気的に接続され、前記血圧測定センサと前記血圧測定制御装置とは、前記被検体を通信媒体とする通信方式で接続されている構成としてもよい。
【００６２】
図３に本実施の形態の血圧計の構成を示す。図３において、本実施の形態の血圧計１は図１により説明した実施の形態の血圧計１の血圧測定センサ１０に、送受信回路１４に信号線により接続された接触部１６を追加し、血圧測定制御装置３０に、送受信回路３４に信号線により接続された接触部３６を追加した構成であり、接触部１６及び接触部３６以外は図１により説明した実施の形態の血圧計１と同様の構成である。
【００６３】
接触部１６及び接触部３６は各々被検体に接触している。
【００６４】
図３に示す本実施の形態の血圧計１の送受信回路１４及び接触部１６、送受信回路３４及び接触部３６以外の部分の機能及び動作は、図１により説明した実施の形態の血圧計１と同様であるので、以下においては、本実施の形態の血圧計１の送受信回路１４及び接触部１６、送受信回路３４及び接触部３６の機能及び動作について説明する。
【００６５】
血圧測定センサ１０の送受信回路１４は制御回路１３から受信する情報を、接触部１６を介して被検体へ微弱な電磁波として伝導させ、被検体及び接触部３６を介して血圧測定制御装置３０の送受信回路３４へ送信し、また、血圧測定制御装置３０の送受信回路３４から接触部３６を介して被検体へ微弱な電磁波として伝導され、被検体及び接触部１６を介して送信される情報を受信し、制御回路１３へ送信する機能を有する。
【００６６】
血圧測定制御装置３０の送受信回路３４は制御回路３３から受信する情報を、接触部３６を介して被検体へ微弱な電磁波として伝導させ、被検体及び接触部１６を介して血圧測定センサ１０の送受信回路１４へ送信し、また、血圧測定センサ１０の送受信回路１４から接触部１６を介して被検体へ微弱な電磁波として伝導され、被検体及び接触部３６を介して送信される情報を受信し、制御回路３３へ送信する機能を有する。
【００６７】
血圧測定センサ１０の接触部１６は送受信回路１４から送信される情報を微弱な電磁波として、接触する被検体の外耳へ伝導させ、また接触する被検体の外耳から伝導される微弱な電磁波としての情報を送受信回路１４へ送信する機能を有する。
【００６８】
血圧測定制御装置３０の接触部３６は送受信回路３４から送信される情報を微弱な電磁波として、接触する被検体へ伝導させ、また接触する被検体からから伝導される微弱な電磁波としての情報を送受信回路３４へ送信する機能を有する。
【００６９】
上記のように送受信回路１４と送受信回路３４は、接触部１６、接触部３６及び被検体を介して微弱な電磁波による情報の送受信を行なう機能を有する。
【００７０】
次に、本実施の形態の血圧計１の動作を説明する。本実施の形態の血圧計１は、図１により説明した実施の形態の血圧計１と同様に血圧を測定する過程の送受信回路１４と送受信回路３４の間において情報の送受信を行なう段階において、送受信回路１４と送受信回路３４は、各々接触部１６及び接触部３６を介して、微弱な電磁波としての情報を被検体に伝導させて、情報を送受信する。
【００７１】
上記のように、本実施の形態の血圧計１は、血圧測定センサ１０と血圧測定制御装置３０を分離して構成し、血圧測定センサ１０を外耳に装着し、血圧測定制御装置３０は例えば腕に装着し、血圧測定制御装置３０から血圧測定センサ１０を、被検体を通信媒体とする通信方式により遠隔操作して血圧を測定し、遠隔で測定結果を見て、血圧測定センサ１０に直接触れる必要をなくしている。この結果、血圧測定センサ１０を直接操作しないので、血圧測定センサ１０の装着状態が変わることなく、さらに被検体の姿勢及び動作を制限することなく、継続的に血圧を測定することができる。
【００７２】
本実施の形態の血圧計は、前記血圧測定制御装置が、複数の前記血圧測定センサに測定開始を指示する制御部及び前記複数の血圧測定センサの測定した血圧値を表示する表示部を有する構成としてもよい。
【００７３】
図４に本実施の形態の血圧計の構成例を示す。本実施の形態の前記血圧計は１の１の前記血圧測定制御装置と２以上の前記血圧測定センサにより構成するが、図４において、本実施の形態の血圧計１は１の血圧測定制御装置３０と２の血圧測定センサ、すなわち、第１の血圧測定センサ４１及び第２の血圧測定センサ４２により構成している場合を示している。
【００７４】
本実施の形態の血圧計１の第１の血圧測定センサ４１及び第２の血圧測定センサ４２の構成、機能、動作は図１により説明した実施の形態の血圧計１の血圧測定センサ１０の構成、機能、動作と同様である。また、本実施の形態の血圧計１の血圧測定制御装置３０の構成は、図１により説明した実施の形態の血圧計１の血圧測定制御装置３０の構成と同様であり、本実施の形態の血圧計１の血圧測定制御装置３０が図１により説明した実施の形態の血圧計１の血圧測定制御装置３０と異なる点は、血圧測定制御装置３０の制御回路３３の機能及び動作であるので、以下においては血圧測定制御装置３０の制御回路３３の機能及び動作について説明する。
【００７５】
本実施の形態の血圧計１の血圧測定制御装置３０の制御回路３３は、送受信回路３４を介して、複数の前記血圧測定センサを、図１により説明した実施の形態の血圧計１と同様に通信方式により遠隔操作して、各々の前記血圧測定センサにより血圧を測定し、測定した血圧情報に従って血圧値を表示部３５に表示する機能を有する。ここで、複数の前記血圧測定センサは例えば、被検体としての同一人の左右の外耳に装着してもよく、異なる複数の被検体に装着してもよい。
【００７６】
次に、本実施の形態の血圧計１の動作を説明する。本実施の形態の血圧計１の血圧測定制御装置３０の制御回路３３は、第１の血圧測定センサ４１を、図１により説明した実施の形態の血圧計１の動作と同様に、通信方式により遠隔操作して血圧を測定した後に、第２の血圧測定センサ４２を、同様に通信方式により遠隔操作して血圧を測定する。ここで、前記血圧測定センサが３以上の場合も、血圧測定制御装置３０は、上記と同様に前記血圧測定センサを順次、通信方式により遠隔操作して血圧を測定する。
【００７７】
上記のように、本実施の形態の血圧計１は、血圧測定制御装置３０により第1の血圧測定センサ４１、第２の血圧測定センサ４２を順次、通信方式により遠隔操作して血圧を測定し、第1の血圧測定センサ４１、第２の血圧測定センサ４２を直接操作しないので、第1の血圧測定センサ４１、第２の血圧測定センサ４２の装着状態の変化、あるいは第1の血圧測定センサ４１、第２の血圧測定センサ４２の振動による雑音の発生を防止して、さらに被検体の姿勢及び動作を制限することなく、効率よく、継続的に被検体の複数の部分の血圧、あるいは複数の被検体の血圧を測定することができる。
【００７８】
以上説明したように、本発明の血圧計は血圧測定のための操作による測定の誤差発生の要因を排除して、さらに被検体の姿勢及び動作を制限することなく、効率よく、継続的に被検体の複数の部分の血圧、あるいは複数の被検体の血圧を測定する血圧計を提供できる。
【産業上の利用可能性】
【００７９】
本発明の血圧測定装置は血圧を被検体の姿勢及び動作を制限することなく、長時間安定して測定することができるので、体調や体の活動状態を知るための手段としての用途にも適用することができる。
【図面の簡単な説明】
【００８０】
【図１】本発明の実施の形態の血圧計の構成を示す図である。
【図２】本発明の実施の形態の血圧計の外耳への装着状態の例を示す図である。
【図３】本発明の実施の形態の血圧計の構成を示す図である。
【図４】本発明の実施の形態の血圧計の構成を示す図である。
【符号の説明】
【００８１】
１  血圧計
７  耳珠
８  耳輪
１０  血圧測定センサ
１１  脈波センサ
１２  カフ
１３  制御回路
１４  送受信回路
１６  接触部
１８  電池
１９  筐体
２１  加圧ポンプ
２２  排気弁
２３  圧力センサ
２５  保持機構
３０  血圧測定制御装置
３３  制御回路
３４  送受信回路
３５  表示部
３６  接触部
３８  電池
３９  筐体
４１  第１の血圧測定センサ
４２  第２の血圧測定センサ
【図１】
2006102180.tif 000003
【図２】
2006102180.tif 000004
【図３】
2006102180.tif 000005
【図４】
2006102180.tif 000006